(57)【要約】【課題】ＳｅｅＱＶａｕｌｔの機能であるＵｓｅｒＡｒｅａＥｘｔｅｎｓｉｏｎを使用する場合でも、外部メモリ７０間のリンク関係をユーザに視覚的に認識させることができる電子機器を提供する。【解決手段】ＳｅｅＱＶａｕｌｔ規格に対応する電子機器であって、ユーザからの操作を受け付ける操作受信部と、外部メモリ７０と接続する接続部と、前記接続部を介して接続されている外部メモリ７０の接続関係を検出し、前記外部メモリ７０の接続関係を、アイコンを用いて表示させる表示手段と、表示された前記アイコンを操作する操作入力を、操作受信部を通じて受け付けると、選択されたアイコンに対応する前記外部メモリ７０に記録されているリンク情報を読み出し、前記リンク情報において関連づけられている前記外部メモリに対応する前記アイコンの表示を変化させる表示変化手段と、を有する。【選択図】図２
2015225495.tif 000002
【特許請求の範囲】
【請求項１】
ＳｅｅＱＶａｕｌｔ規格に対応する電子機器であって、
ユーザからの操作を受け付ける操作受信部と、
外部記憶装置と接続する接続部と、
前記接続部を介して接続されている外部記憶装置の接続関係を検出し、前記外部記憶装置の接続関係を、アイコンを用いて表示させる表示手段と、
表示された前記アイコンを操作する操作入力を前記操作受信部を通じて受け付けると、選択されたアイコンに対応する前記外部記憶装置に記録されているリンク情報を読み出し、前記リンク情報において関連づけられている前記外部記憶装置に対応する前記アイコンの表示を変化させる表示変化手段、とを有することを特徴とする電子機器。
【請求項２】
前記表示変化手段は、選択されたアイコンに対応する前記外部記憶装置が前記ＳｅｅＱＶａｕｌｔ規格に対応していなければ、選択されたアイコンに対応する前記外部記憶装置に関連づけられている前記ＳｅｅＱＶａｕｌｔ規格に対応している前記外部記憶装置を検索し、検索された前記ＳｅｅＱＶａｕｌｔ規格に対応している前記外部記憶装置が記録するリンク情報を読み出す、ことを特徴とする請求項１に記載の電子機器。
【請求項３】
表示変化手段は、前記ＳｅｅＱＶａｕｌｔに対応している前記外部記憶装置が選択された場合に、選択された前記外部記憶装置と接続可能な前記外部記憶装置に対応するアイコンの表示を変化させる、ことを特徴とする請求項１または請求項２のいずれかに記載の電子機器。
【請求項４】
前記外部記憶装置の接続関係を履歴として記憶する履歴手段を有し、
前記表示変化手段は、前記履歴を用いて選択された前記外部記憶装置に関連づけられておりかつ過去に接続されていた前記外部記憶装置を表示する、ことを特徴とする請求項１から請求項３のいずれか一項に記載の電子機器。
【請求項５】
前記表示変化手段は、選択された前記外部記憶装置と前記外部記憶装置に関連づけられている外部記憶装置との間に介在するハブの数を判断し、前記ハブの数が閾値以上である場合は、通知を行う、ことを特徴とする請求項１から請求項４のいずれか一項に記載の電子機器。
【発明の詳細な説明】
【技術分野】
【０００１】
本発明は、電子機器に関し、特に、ＳｅｅＱＶａｕｌｔの規格に対応する電子機器に関する。
【背景技術】
【０００２】
コンテンツの保護規格としてＳｅｅＱＶａｕｌｔ規格が知られている。ＳｅｅＱＶａｕｌｔ規格では、対応する電子機器および外部記憶装置を用いてコンテンツを記録した場合に、この電子機器とは別のＳｅｅＱＶａｕｌｔ対応機（電子機器）であれば、この外部記憶装置を接続してコンテンツを再生することができる。
【０００３】
ＳｅｅＱＶａｕｌｔの一つの機能にＵｓｅｒＡｒｅａＥｘｔｅｎｓｉｏｎが存在する。ＵｓｅｒＡｒｅａＥｘｔｅｎｓｉｏｎでは、ＳｅｅＱＶａｕｌｔ規格に対応する外部記憶装置と非対応の外部記憶装置とをリンクさせて、ＳｅｅＱＶａｕｌｔ対応の外部記憶装置の記憶容量を仮想的に拡張することができる。
【０００４】
ＳｅｅＱＶａｕｌｔには非対応の電子機器において、電子機器に接続された外部記憶装置に記録されているデータ等を表示するものが開示されている（例えば、特許文献１参照）。特許文献１では、個別の外部記憶装置に記録された画像等の表示をユーザが確認することができるため、ユーザの外部記憶装置の管理を補助することができる。
【先行技術文献】
【特許文献】
【０００５】
【特許文献１】特開２００５−２６６６８８号公報
【発明の概要】
【発明が解決しようとする課題】
【０００６】
ＵｓｅｒＡｒｅａＥｘｔｅｎｓｉｏｎを用いて、外部記憶装置をリンクさせた場合、ユーザは外部記憶装置間のリンク関係を把握しておく必要がある。特に、外部記憶装置を、ハブを介して接続した場合、物理的な接続関係が複雑になるためどの外部記憶装置がリンク関係のあるのかの把握を外部の状態から確認することは難しくなる。
特許文献１にように、個々の外部記憶装置に記録されたデータを確認できたとしても、データの中身だけで外部記憶装置のリンク関係を判断することはできない。
【０００７】
本発明は、上記課題にかんがみてなされたもので、ＳｅｅＱＶａｕｌｔの機能であるＵｓｅｒＡｒｅａＥｘｔｅｎｓｉｏｎを使用する場合でも、外部記憶装置間のリンク関係をユーザに視覚的に認識させることができる電子機器の提供を目的とする。
【課題を解決するための手段】
【０００８】
上記課題を解決するために、本発明の一態様では、ＳｅｅＱＶａｕｌｔ規格に対応する電子機器であって、ユーザからの操作を受け付ける操作受信部と、外部記憶装置と接続する接続部と、前記接続部を介して接続されている外部記憶装置の接続関係を検出し、前記外部記憶装置の接続関係をアイコンを用いて表示させる表示手段と、表示された前記アイコンを操作する操作入力を前記操作受信部を通じて受け付けると、選択されたアイコンに対応する前記外部記憶装置に記録されているリンク情報を読み出し、前記リンク情報において関連づけられている前記外部記憶装置に対応する前記アイコンの表示を変化させる表示変化手段と、を有する。
【０００９】
『操作受信部』は、電子機器に備えられた操作キーや、リモコン装置からの信号を受信する受信部以外にも、ネットワークを通じて接続された端末からの操作を受け付けるＩＦをも含まれる。
『関連づけられている』とは、ＳｅｅＱＶａｕｌｔ規格のＵｓｅｒＡｒｅａＥｘｔｅｎｓｉｏｎの機能により、規格に対応する外部記憶装置と関係性が形成されていることを意味する。
また、ユーザにより選択される外部記憶装置は、ＳｅｅＱＶａｕｌｔに対応する外部記憶装置であっても、非対応の外部記憶装置であってもよい。
【００１０】
上記のように構成された発明では、表示手段は、接続部を介して接続されている外部記憶装置の接続関係を検出し、外部記憶装置の接続関係をアイコンを用いて表示させる。そして、表示変化手段は、表示されたアイコンを操作する操作入力を操作受信部を通じて受け付けると、選択されたアイコンに対応する外部記憶装置に記録されているリンク情報を読み出し、リンク情報において関連づけられている外部記憶装置に対応するアイコンの表示を変化させる。
そのため、ユーザはアイコンの表示が変化することで、関連づけが行われた外部記憶装置の関係を外部記憶装置間のリンク関係をユーザに視覚的に認識させることができる。
【図面の簡単な説明】
【００１１】
【図１】一例としての電子機器１０の外観図。
【図２】一例としての電子機器１０の内部構成を示すブロック図。
【図３】メインコントローラ２０により実行される処理を説明するフローチャート。
【図４】表示装置５０に表示される表示画面２００を示す図。
【図５】一例としての接続状態管理テーブル３００を示す図。
【図６】図３のステップＳ６で行われる表示変化処理を説明するフローチャート。
【図７】一例としてのリンク情報を示す図。
【図８】表示変化処理後の表示画面２００を示す図。
【図９】第２の実施形態において実行される処理を示すフローチャート。
【図１０】表示画面２００を示す図。
【図１１】第３の実施形態において実行される処理を示すフローチャート。
【図１２】表示画面２００を示す図。
【図１３】表示画面２００に表示される通知を説明する図。
【発明を実施するための形態】
【００１２】
以下、下記の順序に従って本発明の実施形態を説明する。
１．第１の実施形態：
（１）電子機器の構成
（２）リンク関係表示方法
２．第２の実施形態：
３．第３の実施形態：
４．第４の実施形態：
５．その他の実施形態：
【００１３】
１．第１の実施形態：
（１）電子機器の構成
【００１４】
図１は、一例としての電子機器１０の外観図である。図２は、一例としての電子機器１０の内部構成を示すブロック図である。
図１に示す電子機器１０の一例は、ＳｅｅＱＶａｕｌｔに対応する録画装置である。また、電子機器１０は、ＵＳＢ規格に対応しておりハブ６０を介して複数の外部メモリ（外部記憶装置）７０と接続することができる。さらに、電子機器１０は、テレビジョン受像機等の表示装置５０と接続することで、ユーザインタフェース等を表示装置５０に表示させることができる。
【００１５】
図２に示す電子機器１０は、ＨＤＤ１１、ＳＯＣ（System On Chip）１２、フラッシュメモリ１３、ＤＲＡＭ１４、出力部１５、再生信号制御部１６、ＵＳＢコントローラ１７、Ｉ／Ｏ１８、を備えている。
【００１６】
ＳＯＣ１２は、ＨＤＤ１１やＵＳＢコントローラ１７を通じて接続される外部メモリ７０に対するアクセスを制御する。ＳＯＣ１２は、ＨＤＤ１１、再生信号制御部１６が接続される他、Ｉ／Ｏ１８を通じて各ハードウェアが接続されている。ＳＯＣ１２は、ＨＤＤ１１や外部メモリ７０から再生されたデータを再生信号制御部１６に出力する他、再生信号制御部１６を通じて入力されたデータをＨＤＤ１１や外部メモリ７０に出力する。
また、ＳＯＣ１２には、電子機器１０の動作を統合的に制御するメインコントローラ２０が内蔵されている。メインコントローラ２０は、各種演算、処理、制御を行う演算処理装置である。メインコントローラ２０は、ＳＯＣ１２に実装された不図示のＲＯＭに記録されたプログラムや、フラッシュメモリ１３に記録されたデータをもとに所定の処理を行う。メインコントローラ２０の機能については後述する。
【００１７】
ＨＤＤ１１は、電子機器１０に内蔵型のＨＤＤである。ＨＤＤ１１は、図示しない磁気記憶部と、この磁気記憶部に対するアクセスを制御するメモリコントローラとを備えている。
【００１８】
ＳＯＣ１２には、再生信号制御部１６が接続されている。再生信号制御部１６は、トランスコーダを備えており、ＨＤＤ１１または外部メモリ７０から出力されたデータのデータサイズを変更することができる。
【００１９】
再生信号制御部１６には、出力部１５が接続されている。出力部１５は、表示装置５０を含めた外部装置と接続し、この外部装置との間でデータを通信する。また、出力部１５は、例えば、ＩＥＥＥ８０２．３規格に準拠したネットワーク接続端子無線ＬＡＮボード等の通信インタフェースを含むものであってもよい。通信インタフェースは、電子機器１０と外部の装置、例えば不図示のパソコンタブレット 等を接続し、デジタル信号の入出力を行う。これにより、例えばＤＬＮＡ機能による画像 ／音の配信、タブレットを用いた電子機器１０の遠隔操作等が可能となる。  
【００２０】
ＳＯＣ１２には、Ｉ／Ｏ１８を介してサブコントローラ３０が接続されている。サブコントローラ３０は、図示しない表示部やリモコン装置４０からのコマンドを受け付けるリモコン受信部が内蔵されている。サブコントローラ３０により受信されたコマンドは、ＳＯＣ１２に出力される。本発明では、サブコントローラ３０が操作受信部を構成する。
【００２１】
Ｉ／Ｏ１８には、ＵＳＢコントローラ１７が接続されている。ＵＳＢコントローラ１７は、ホストとして機能し、ＵＳＢ対応の機器（ノード）を接続することができる。また、ＵＳＢコントローラ１７がデバイスとして機能するハブ６０と接続することで、このハブ６０を介して複数の外部メモリ７０と接続することができる。
【００２２】
ＳｅｅＱＶａｕｌｔに対応する外部メモリ７０は、磁気記憶部に固有のＩＤを記録している。そのため、メインコントローラ２０はこのＩＤを参照することで、ＨＤＤがＳｅｅＱＶａｕｌｔに対応しているか否かを判定することができる。また、ＳｅｅＱＶａｕｌｔ規格のＵｓｅｒＡｒｅａＥｘｔｅｎｓｉｏｎでは、外部メモリ７０を接続させることで、規格に対応する外部メモリ７０の記録容量を拡張することができる。
【００２３】
メインコントローラ２０は不図示のＲＯＭに記録されたプログラムを実行することにより、表示手段２１と、表示変化手段２２とを実現する。
表示手段２１は、ＵＳＢコントローラ１７を介して接続されている外部メモリ７０の接続関係を検出し、検出された接続関係をアイコンを用いて表示させる。
表示変化手段２２は、表示手段２１によって表示されたアイコンを選択する操作入力をサブコントローラ３０を通じて受け付けると、選択されたアイコンに対応する外部メモリ７０に記録されているリンク情報を読み出し、リンク情報上でリンクしている外部メモリ７０に対応するアイコンの表示を変化させる。
【００２４】
（２）リンク関係の表示方法
メインコントローラ２０により実行される外部メモリ７０間のリンク関係の表示方法について説明する。図３は、メインコントローラ２０により実行される処理を説明するフローチャートである。図３に示す処理は、例えば、電子機器１０に直接または間接的にノードが接続された場合に実行される。図４は、表示装置５０に表示される表示画面２００を示す。
【００２５】
ステップＳ１では、メインコントローラ２０は、ＵＳＢコントローラ１７に接続されている外部メモリ７０の接続状態を検出する。接続状態を検出する方法は、様々な手法を用いることができる。例えば、メインコントローラ２０は周知のエニュメレーション処理により各ハブ６０や外部メモリ７０が保持する管理テーブルを受信し、この管理テーブルに記録されているハブまたは外部メモリ７０のＭＡＣアドレスを取得する。そして、取得された各ノード間の対応関係やＭＡＣアドレスもとにノードの接続状態を検出する。
これ以外にも、メインコントローラ（表示変化手段２２）は、接続状態にある外部メモリ７０に対してリンク情報４００を要求し、各外部メモリ７０から返信されるリンク情報４００をもとに外部メモリ７０の接続状態を検出するものであってもよい。
【００２６】
ステップＳ２では、メインコントローラ２０は、ステップＳ１で検出した外部メモリ７０の接続状態を接続状態管理テーブル３００に記録する。図５は、一例としての接続状態管理テーブル３００を示す図である。
図５に示す接続状態管理テーブル３００には、電子機器１０を識別するＩＤと、電子機器１０に接続されているノード（ハブ６１〜６３、ＵＳＢＨＤＤ７１〜ＵＳＢＨＤＤ７６）が登録（記録）されている。また、接続状態管理テーブル３００には、電子機器１０、または各ノードの間の従属関係を階層毎（図５では、階層１〜階層４）に記録している。階層１に属するノードは、ＵＳＢコントローラ１７と直接接続されている。階層２に属するノードは、電子機器１０のＵＳＢコントローラ１７に接続されたハブ（図５では、ハブ６１）を介して接続されている。階層３に属するノードは、階層２に属するハブ（図５では、ハブ６２）を介して接続されている。階層４に属するノードは、階層３に属するハブ（図５では、ハブ６３）を介して接続されている。
【００２７】
ステップＳ３では、メインコントローラ２０は、ユーザからの外部メモリ７０の接続状態を表示する操作入力をサブコントローラ３０を通じて受信すると（ステップＳ３：ＹＥＳ）、ステップＳ４では、接続状態管理テーブル３００をもとに、表示画面２００を表示させる。
図４に示す、表示画面２００には、電子機器１０に接続されているノードの接続関係が各外部メモリ７０やハブ６０を示すアイコンにより表示される。図４では、階層１に属するノードとしてＵＳＢＨＤＤ７１、７２、ハブ６１が表示されている。また、階層２に属するノードとして、ハブ６１を介して接続されているハブ６２、ＵＳＢＨＤＤ７３、７４が表示されている。そして、階層３に属するノードとして、ハブ６２を介して接続されているＵＳＢＨＤＤ７５、７６が表示されている。この中で、ＵＳＢＨＤＤ７１、７３、７６がＳｅｅＱＶａｕｌｔに対応している。
【００２８】
ステップＳ５では、メインコントローラ２０は、表示画面２００上のアイコンを選択する操作入力をサブコントローラ３０を通じて受け付けると（ステップＳ５：ＹＥＳ）、ステップＳ６に進む。ステップＳ６では、メインコントローラ２０（表示変化手段２２）は、表示変化処理を行う。
【００２９】
図６は、図３のステップＳ６で行われる表示変化処理を説明するフローチャートである。図６の処理を実行することで、リンク関係にある外部メモリ７０の表示が変化する。
【００３０】
ステップＳ６１では、メインコントローラ２０（表示変化手段２２）は、ユーザに選択されたアイコンに対応する外部メモリ７０に対してリンク情報４００を要求する。
図７は、一例としてのリンク情報４００を示す図である。図７では、リンク元の外部メモリ７０（すなわち、ＳｅｅＱＶａｕｌｔに対応する外部メモリ７０）のＩＤと、リンク先の外部メモリ７０のＩＤと、が対応づけて記録されている。選択された外部メモリ７０がＳｅｅＱＶａｕｌｔに対応していれば、接続状態管理テーブル３００上でのＩＤと、リンク情報４００に記録されたリンク元のＩＤとは一致する。一方、選択された外部メモリ７０がＳｅｅＱＶａｕｌｔに対応していなければ、接続状態管理テーブル３００上でのＩＤと、リンク情報４００に記録されたリンク先のＩＤとが一致する。また、ＳｅｅＱＶａｕｌｔに対応する外部メモリ７０は、所定数（例えば１６台）のリンク先の外部メモリ７０とリンク関係を形成することができるため、リンク情報４００のリンク先の外部メモリをリンク制限数まで登録することができる。
【００３１】
ステップＳ６２では、選択されたアイコンに対応する外部メモリ７０にリンク情報４００４００が記録されていれば（ステップＳ６２：ＹＥＳ）、メインコントローラ２０は、ステップＳ６３に進む。例えば、外部メモリ７０からリンク情報４００の返信がない場合、メインコントローラ２０は、リンク情報４００が記録されていないと判断する。
一方、選択されたアイコンに対応する外部メモリ７０にリンク情報４００が記録されていなければ（ステップＳ６２：ＮＯ）、メインコントローラ２０は、処理を終了する。
【００３２】
ステップＳ６３では、メインコントローラ２０は、選択された外部メモリ７０がＳｅｅＱＶａｕｌｔに対応していれば（ステップＳ６３：ＹＥＳ）、ステップＳ６４では、この外部メモリ７０に記録されているリンク情報４００を参照し、リンク先の外部メモリ７０を検索する。
ステップＳ６５では、リンク情報４００に記録されたリンク先の外部メモリ７０が接続されていれば（ステップＳ６５：ＹＥＳ）、メインコントローラ２０は、ステップＳ６９に進む。リンク情報４００に記録されたリンク先の外部メモリ７０が接続されていなければ（ステップＳ６５：ＮＯ）、メインコントローラ２０は、処理を終了する。外部メモリ７０が接続されているか否かの判断は、接続状態管理テーブル３００を参照して行う。
【００３３】
ステップＳ６３において、選択されたアイコンに対応する外部メモリ７０がＳｅｅＱＶａｕｌｔに対応していなければ（ステップＳ６３：ＮＯ）、メインコントローラ２０は、ステップＳ６６に進む。ステップＳ６６では、メインコントローラ２０は、この外部メモリ７０が記録しているリンク情報４００をもとに、リンク元（すなわち、ＳｅｅＱＶａｕｌｔに対応する）外部メモリ７０を検索する。
【００３４】
ステップＳ６７では、リンク元の外部メモリ７０が接続されていなければ（ステップＳ６７：ＮＯ）、メインコントローラ２０は処理を終了する。
ＳｅｅＱＶａｕｌｔに対応する外部メモリ７０が接続されていれば（ステップＳ６７：ＹＥＳ）、ステップＳ６８では、メインコントローラ２０は、ＳｅｅＱＶａｕｌｔに対応する外部メモリ７０のリンク情報４００を参照して、リンク先の外部メモリ７０を検索する。これは、ＳｅｅＱＶａｕｌｔに対応する外部メモリ７０を通じてリンク関係にある全ての外部メモリ７０を検索するためである。
【００３５】
ステップＳ６９では、メインコントローラ２０は、ステップＳ６４またはステップＳ６８で検索された外部メモリ７０のアイコンの表示を変化させる。
図８は、表示変化処理後の表示画面２００を示す図である。
図８では、ユーザが表示画面２００において、ＳｅｅＱＶａｕｌｔに対応するＵＳＢＨＤＤ７１のアイコンを選択した場合の表示画面２００の変化を示している。ユーザがＵＳＢＨＤＤ７１を選択することで、ＵＳＢＨＤＤ７１とリンク関係にあるＵＳＢＨＤＤ７５、７４とのアイコンの表示がハイライト表示に変化する。
また、ユーザが表示画面２００において、ＳｅｅＱＶａｕｌｔに対応しないＨＤＤ７５のアイコンを選択しても、このＨＤＤ７５とリンク関係にあるＳｅｅＱＶａｕｌｔに対応するＨＤＤ７１とＳｅｅＱＶａｕｌｔに対応しないＨＤＤ７４とのアイコンの表示がハイライト表示に変化する。
【００３６】
以上説明したようにこの第１の実施形態では、ＳｅｅＱＶａｕｌｔ規格に対応する電子機器であって、メインコントローラ２０は、ＵＳＢコントローラ１７接続部を介して接続されている外部メモリ７０の接続関係を検出し、外部メモリ７０の接続関係をアイコンを用いて表示させる。メインコントローラ２０は、表示されたアイコンを操作する操作入力を操作受信部を通じて受け付けると、選択されたアイコンに対応する外部メモリ７０に記録されているリンク情報４００を読み出し、リンク情報４００上でリンクしている外部メモリ７０に対応するアイコンの表示を変化させる。
そのため、ＳｅｅＱＶａｕｌｔの機能であるＵｓｅｒＡｒｅａＥｘｔｅｎｓｉｏｎを使用する場合でも、外部メモリ７０間のリンク関係をユーザに視覚的に認識させることができる。
【００３７】
２．第２の実施形態：
この第２の実施形態では、表示画面２００でユーザが選択したアイコンに対応する外部メモリ７０とリンク関係を構築することができる外部メモリ７０に対応するアイコンの表示を変化させる構成が第１の実施形態と比べて異なる。
【００３８】
図９は、第２の実施形態において実行される処理を示すフローチャートである。
【００３９】
ステップＳ１６１では、メインコントローラ２０（表示変化手段２２）は、ユーザに選択されたアイコンに対応する外部メモリ７０に対してリンク情報４００を要求する。
ステップＳ１６２では、選択されたアイコンに対応する外部メモリ７０にリンク情報４００が記録されていれば（ステップＳ１６２：ＹＥＳ）、メインコントローラ２０は、ステップＳ１６３に進む。
一方、選択されたアイコンに対応する外部メモリ７０にリンク情報４００が記録されていなければ（ステップＳ１６２：ＮＯ）、メインコントローラ２０は、処理を終了する。
【００４０】
ステップＳ１６３では、メインコントローラ２０は、選択された外部メモリ７０がＳｅｅＱＶａｕｌｔに対応していれば（ステップＳ１６３：ＹＥＳ）、ステップＳ１６４では、この外部メモリ７０に記録されているリンク情報４００を参照し、リンク先の外部メモリ７０を検索する。
ステップＳ１６５では、リンク情報４００に記録されたリンク先の外部メモリ７０が接続されていれば（ステップＳ１６５：ＹＥＳ）、メインコントローラ２０は、ステップＳ１６９に進む。リンク情報４００に記録されたリンク先の外部メモリ７０が接続されていなければ（ステップＳ１６５：ＮＯ）、メインコントローラ２０は、処理を終了する。
【００４１】
ステップＳ１６３において、選択されたアイコンに対応する外部メモリ７０がＳｅｅＱＶａｕｌｔに対応していなければ（ステップＳ１６３：ＮＯ）、メインコントローラ２０は、ステップＳ１６６では、メインコントローラ２０は、この外部メモリ７０が記録しているリンク情報４００をもとに、リンク元（すなわち、ＳｅｅＱＶａｕｌｔに対応する）外部メモリ７０を検索する。
【００４２】
ステップＳ１６７では、リンク元の外部メモリ７０が接続されていなければ（ステップＳ１６７：ＮＯ）、メインコントローラ２０は処理を終了する。
ＳｅｅＱＶａｕｌｔに対応する外部メモリ７０が接続されていれば（ステップＳ１６７：ＹＥＳ）、ステップＳ１６８では、メインコントローラ２０は、ＳｅｅＱＶａｕｌｔに対応する外部メモリ７０のリンク情報４００を参照して、リンク先の外部メモリ７０を検索する。
【００４３】
ステップＳ１６９では、メインコントローラ２０は、ステップＳ１６４またはステップＳ１６８で検索された外部メモリ７０のアイコンの表示を変化させる。
【００４４】
ステップＳ１７１では、メインコントローラ２０は、選択されたＳｅｅＱＶａｕｌｔに対応する外部メモリ７０のリンク数がリンク数の制限値（閾値Ｔ）を超えていない場合（ステップＳ１７１：ＹＥＳ）、ステップＳ１７２では、リンク先がない外部メモリ７０を検索する。一方、外部メモリ７０のリンク数がリンク数の制限値を超えていれば（ステップＳ１７１：ＮＯ）、メインコントローラ２０は、処理を終了する。
【００４５】
リンク先となる外部メモリ７０が存在すれば（ステップＳ１７３：ＹＥＳ）、ステップＳ１７４では、検索された外部メモリ７０に対応するアイコンの表示を変化させる。
図１０は、第２の実施形態における表示画面２００を示す図である。
図１０では、ユーザが表示画面２００において、ＳｅｅＱＶａｕｌｔに対応するＵＳＢＨＤＤ７１のアイコンを選択した場合の表示画面２００の変化を示している。ユーザがＵＳＢＨＤＤ７１を選択することで、ＵＳＢＨＤＤ７１とリンク関係にあるＵＳＢＨＤＤ７５、７４とのアイコンの表示がハイライト表示に変化する。
また、リンク関係が形成されていないＵＳＢＨＤＤ７４の表示が点滅し、ＵＳＢＨＤＤ７４がＵＳＢＨＤＤ７１とリンクできることを表示する。
【００４６】
以上説明したようにこの第２の実施形態では、第１の実施形態が奏する効果に加えて、以下の効果を奏する。ＳｅｅＱＶａｕｌｔ規格に対応する外部メモリ７０とリンクすることができる外部メモリ７０をユーザに視覚的に通知するため、ＳｅｅＱＶａｕｌｔの機能であるＵｓｅｒＡｒｅａＥｘｔｅｎｓｉｏｎをより使いやすくすることができる。
【００４７】
３．第３の実施形態：
リンク先の外部メモリが接続されていない場合に、履歴テーブルをもとに過去に記録されていた外部メモリを表示画面２００に表示させてもよい。すなわち、メインコントローラ２０は、外部メモリ７０の接続状態を記録する毎に（図４のステップＳ２）、外部メモリ７０の接続状態を保持する履歴テーブルを作成する。この履歴テーブルには、履歴テーブルの更新があった日付に対応づけて、更新されたノード（ハブ６０、外部メモリ７０）が記録される。
【００４８】
図１１は、第３の実施形態において実行される処理を示すフローチャートである。
【００４９】
ステップＳ２６１では、メインコントローラ２０（表示変化手段２２）は、ユーザに選択されたアイコンに対応する外部メモリ７０に対してリンク情報４００を要求する。
ステップＳ２６２では、選択されたアイコンに対応する外部メモリ７０にリンク情報４００が記録されていれば（ステップＳ２６２：ＹＥＳ）、メインコントローラ２０は、ステップＳ２６３に進む。一方、選択されたアイコンに対応する外部メモリ７０にリンク情報４００が記録されていなければ（ステップＳ２６２：ＮＯ）、メインコントローラ２０は、ステップＳ２６９へ進む。
【００５０】
ステップＳ２６３では、メインコントローラ２０は、選択された外部メモリ７０がＳｅｅＱＶａｕｌｔに対応していれば（ステップＳ２６３：ＹＥＳ）、ステップＳ２６４では、この外部メモリ７０に記録されているリンク情報４００を参照し、リンク先の外部メモリ７０を検索する。ステップＳ２６５では、リンク情報４００に記録されたリンク先の外部メモリ７０が接続されていれば（ステップＳ２６５：ＹＥＳ）、メインコントローラ２０は、ステップＳ２７０に進む。ステップＳ２７０では、メインコントローラ２０は検索された外部メモリ７０のアイコンの表示を変化させる。
リンク情報４００に記録されたリンク先の外部メモリ７０が接続されていなければ（ステップＳ２６５：ＮＯ）、メインコントローラ２０は、ステップＳ２６９に進む。
【００５１】
ステップＳ２６９では、メインコントローラ２０は、履歴テーブルを読み出し、直近の履歴からリンク情報４００に記録されているが、現在、電子機器１０に接続されていない外部メモリ７０を検索し、検索された外部メモリ７０を表示画面２００に表示させる。
【００５２】
図１２は、第３の実施形態における表示画面２００を示す図である。
図１２では、ユーザが表示画面２００において、ＳｅｅＱＶａｕｌｔに対応するＵＳＢＨＤＤ７１のアイコンを選択した場合の表示画面２００の変化を示している。ユーザがＵＳＢＨＤＤ７１を選択することで、ＵＳＢＨＤＤ７１とリンク関係にあり、かつ過去に電子機器１０に接続されていたＵＳＢＨＤＤ７４のアイコンが点滅表示されている。また、図１２では、ＵＳＢＨＤＤ７４が電子機器１０に接続されていないことを示す文字列が表示されている。
【００５３】
また、ステップＳ２６３において、選択されたアイコンに対応する外部メモリ７０がＳｅｅＱＶａｕｌｔに対応していなければ（ステップＳ２６３：ＮＯ）、メインコントローラ２０は、ステップＳ２６６では、この外部記メモリが記録しているリンク情報４００をもとに、リンク元（すなわち、ＳｅｅＱＶａｕｌｔに対応する）外部メモリ７０を検索する。
【００５４】
ステップＳ２６７では、リンク元の外部メモリ７０が接続されていなければ（ステップＳ２６７：ＮＯ）、メインコントローラ２０はステップＳ２６９に進む。そのため、表示装置５０は、履歴テーブルを参照して、過去の接続状態を示す表示画面２００を表示する。
【００５５】
ＳｅｅＱＶａｕｌｔに対応する外部メモリ７０が接続されていれば（ステップＳ２６７：ＹＥＳ）、ステップＳ２６８では、メインコントローラ２０は、ＳｅｅＱＶａｕｌｔに対応する外部メモリ７０のリンク情報４００を参照して、リンク先の外部メモリ７０を検索する。そして、ステップＳ２７０では、メインコントローラ２０は、ステップＳ２７０では、メインコントローラ２０は、ステップＳ２６４またはステップＳ２６８で検索された外部メモリ７０のアイコンの表示を変化させる。
【００５６】
以上説明したようにこの第３の実施形態では、第１の実施形態が奏する効果に加えて、以下の効果を奏する。過去に接続関係にあった外部メモリ７０を表示画面２００に表示するため、ＳｅｅＱＶａｕｌｔの機能であるＵｓｅｒＡｒｅａＥｘｔｅｎｓｉｏｎをより使いやすくすることができる。
【００５７】
４．第４の実施形態：
上述した第１から第３の実施形態において、リンク元の外部メモリ７０とリンク先の外部メモリ７０との間に介在するハブの数が閾値以上である場合に、表示画面２００上に通知を行うものであってもよい。
図１３は、第４の実施形態において、表示画面２００に表示される通知を説明する図である。図１３に示す表示画面２００には、現在のリンク元の外部メモリ７０とリンク先の外部メモリ７０との間に複数個のハブが介在しており、リンクが正しく機能しない可能があることを通知する文字列が表示される。
また、この文字列に加えて、外部メモリ７０の推奨する接続関係を示す推奨画像が表示されている。
【００５８】
図１３に示す表示画面２００の表示方法として、例えば、図４で示すフローチャートのステップＳ１においてメインコントローラ２０が検出した外部メモリ７０の接続状態において、リンク元の外部メモリとリンク先の外部メモリとの間に閾値以上のハブが介在している場合に実施される。
【００５９】
以上説明したようにこの第４の実施形態では、第１の実施形態が奏する効果に加えて、以下の効果を奏する。外部メモリ７０の接続状態が適切でない場合に、表示画面２００により通知を行うため、ＵｓｅｒＡｒｅａＥｘｔｅｎｓｉｏｎをより使いやすくすることができる。
【００６０】
５．その他の実施形態：
補助記憶装置として、ＨＤＤを用いたことは一例に過ぎず、ＳＳＤ、フラッシュメモリ、光ディスクドライブであってもよい。
【００６１】
電子機器１０としてＨＤＤを備える録画装置を例に説明を行ったことは一例に過ぎない。電子機器１０は、液晶ディスプレイを備える表示装置、ＰＣ、タブレット端末であってもよい。  
【００６２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６３】
１０…電子機器、１１…ＨＤＤ、１２…ＳＯＣ、１３…フラッシュメモリ、１４…ＤＲＡＭ、１５…出力部、１６…再生信号制御部、１７…ＵＳＢコントローラ、１８…Ｉ／Ｏ、２０…メインコントローラ、２１…表示手段、２２…表示変化手段、３０…サブコントローラ、４０…リモコン装置、５０…表示装置、６０…ハブ、７０…外部メモリ
【図１】
2015225495.tif 000003
【図２】
2015225495.tif 000004
【図３】
2015225495.tif 000005
【図４】
2015225495.tif 000006
【図５】
2015225495.tif 000007
【図６】
2015225495.tif 000008
【図７】
2015225495.tif 000009
【図９】
2015225495.tif 000010
【図１１】
2015225495.tif 000011
【図１２】
2015225495.tif 000012
【図１３】
2015225495.tif 000013
【図８】
2015225495.tif 000014
【図１０】
2015225495.tif 000015